(57)【要約】【課題】内径の異なるホースを接続し得るようにした簡単且つ安価なホース接続手段を提供する。【解決手段】中空筒状体（１）を外径が一端（１ａ）より他端（１ｃ）に向かって徐々に大きくなるように段状に形成することにより該中空筒状体に外径の異なる複数の段状受け部（５ａ）（５ｂ）（５ｃ）・・・を備えさせる。中空筒状体を外径が一端より中間部（１ｂ）に向かって徐々に大きくなるように段状に形成することにより該中空筒状体における該一端と該中間部との間に外径の異なる複数の第一段状受け部（１１ａ）（１１ｂ）（１１ｃ）・・・を備えさせ、該中空筒状体を外径が該中間部より他端に向かって徐々に小さくなるように段状に形成することにより該中空筒状体における該中間部と該他端との間に外径の異なる複数の第二段状受け部（１１ｅ）（１１ｆ）（１１ｇ）・・・を備えさせる。【選択図】図１
2005256946.tif 000002
【特許請求の範囲】
【請求項１】
中空筒状体を外径が一端より他端に向かって徐々に大きくなるように段状に形成することにより該中空筒状体に外径の異なる複数の段状受け部を備えさせ、これらの段状受け部のいずれか一つにホースを嵌着するようにしたことを特徴とするホース接続手段。
【請求項２】
中空筒状体を外径が一端より中間部に向かって徐々に大きくなるように段状に形成することにより該中空筒状体における該一端と該中間部との間に外径の異なる複数の第一段状受け部を備えさせ、該中空筒状体を外径が該中間部より他端に向かって徐々に小さくなるように段状に形成することにより該中空筒状体における該中間部と該他端との間に外径の異なる複数の第二段状受け部を備えさせ、該第一段状受け部のいずれか一つと該第二段状受け部のいずれか一つとにそれぞれホースを嵌着するようにしたことを特徴とするホース接続手段。
【請求項３】
前記各段状受け部は円筒状であることを特徴とする請求項１又は２に記載のホース接続手段。
【発明の詳細な説明】
【技術分野】
【０００１】
本発明は、ホース接続手段（ホース接続具）に関するものであり、特に、内径の異なるホースを接続し得るようにしたホース接続手段に係るものである。
【０００２】
本発明によるホース接続手段は、例えば、水、油、圧縮空気、ガス、粉状体等を送るホースの接続手段として用いられる。
【背景技術】
【０００３】
実用新案登録第３０１９９０６号公報は、内径の異なるホースを接続し得るようにしたホース接続装置を開示している。
【０００４】
実用新案登録第３０１９９０６号公報に示すホース接続装置（以下「従来のホース接続装置」という。）は、ホースに挿入される雄ねじ付きの挿入パイプと、ホースと該挿入パイプとの間に介在する装着筒と、ホースに外装される雌ねじ付きの締付環とよりなり、挿入パイプを装着筒を介してホースに挿入すると共に締付環の雌ねじを挿入パイプの雄ねじに螺合させるようにしてなるものである。
【特許文献１】実用新案登録第３０１９９０６号公報
【発明の開示】
【発明が解決しようとする課題】
【０００５】
しかるに、上記従来のホース接続装置は、ホースに挿入される雄ねじ付きの挿入パイプと、ホースと該挿入パイプとの間に介在する装着筒と、ホースに外装される雌ねじ付きの締付環とよりなるものであり、部品点数が多く、構造が複雑で、製造コストが嵩むという謗りを免れないものである。
【０００６】
本発明は、上記従来のホース接続装置における上述の如き問題を解決し、構造が簡単で安価に製造することができるホース接続手段を提供しようとしてなされたものである。
【課題を解決するための手段】
【０００７】
上記課題を解決するために、本発明は、下記のホース接続手段を提供する。
【０００８】
（１）中空筒状体を外径が一端より他端に向かって徐々に大きくなるように段状に形成することにより該中空筒状体に外径の異なる複数の段状受け部を備えさせ、これらの段状受け部のいずれか一つにホースを嵌着するようにしたことを特徴とするホース接続手段（請求項１）。
【０００９】
（２）中空筒状体を外径が一端より中間部に向かって徐々に大きくなるように段状に形成することにより該中空筒状体における該一端と該中間部との間に外径の異なる複数の第一段状受け部を備えさせ、該中空筒状体を外径が該中間部より他端に向かって徐々に小さくなるように段状に形成することにより該中空筒状体における該中間部と該他端との間に外径の異なる複数の第二段状受け部を備えさせ、該第一段状受け部のいずれか一つと該第二段状受け部のいずれか一つとにそれぞれホースを嵌着するようにしたことを特徴とするホース接続手段（請求項２）。
【００１０】
なお、「中間部」は、中空筒状体における一端と他端との間の部分を言うものであって、必ずしも中空筒状体の中央に位置する必要はない。
【００１１】
（３）前記各段状受け部は円筒状である（請求項３）。
【００１２】
［発明の作用］
［請求項１の発明］
請求項１のホース接続手段は、外径の異なる複数の段状受け部を備えている。これらの段状受け部は、それぞれ内径の異なるホースに対応するものである。ホースを接続する際には、当該ホースの内径に対応する外径を備えた一つの段状受け部に当該ホースを嵌着する。
【００１３】
［請求項２の発明］
請求項２のホース接続手段は、一端と中間部との間に外径の異なる複数の第一段状受け部を備え、該中間部と他端との間に外径の異なる複数の第二段状受け部を備えている。請求項２のホース接続手段には２本のホースを接続する。即ち、１本のホースを当該ホースの内径に対応する外径を備えた一つの第一段状受け部に嵌着し、別のホースを当該別のホースの内径に対応する外径を備えた一つの第二段状受け部に嵌着する。
【００１４】
［請求項３の発明］
各段状受け部（請求項１における各段状受け部及び請求項２における各第一段状受け部と各第二段状受け部）は、テーパ状ではなく、円筒状であるため、ホースは各段状受け部に確実に嵌着する。
【発明の効果】
【００１５】
本発明によるホース接続手段は、中空筒状体に所定の段状受け部を形成してなるものであり、構造が極めて簡単であり、安価に製造することができるものである。しかも、異なる内径を備えた種々のホースを極めて容易且つ確実に接続することができる。
【発明を実施するための最良の形態】
【００１６】
符号１に示すものは中空筒状体である。中空筒状体１は、水、圧縮空気、ガス、粉状体等が流れる流路３を中心部に備えている。図２参照。中空筒状体１は、例えば、ステンレス鋼等の金属、ＰＥＴ等の合成樹脂等により形成される。
【００１７】
図１、図２に示す事例においては、中空筒状体１を外径が一端１ａより他端１ｃに向かって徐々に大きくなるように段状に形成することにより該中空筒状体１に外径の異なる複数の段状受け部５ａ、５ｂ、５ｃ、５ｄを備えさせている。
【００１８】
これらの段状受け部５ａ、５ｂ、５ｃ、５ｄのうちのいずれか一つにホース７を嵌着する。因みに、図１において、段状受け部５ａはホース７ａの内径に適合する外径を備え、段状受け部５ｂはホース７ｂの内径に適合する外径を備え、段状受け部５ｃはホース７ｃの内径に適合する外径を備え、段状受け部５ｄはホース７ｄの内径に適合する外径を備えている。
【００１９】
なお、図１においては、中空筒状体１の他端１ｃを装置９に接続している。
【００２０】
図３に示す事例においては、中空筒状体１を外径が一端１ａより中間部１ｂに向かって徐々に大きくなるように段状に形成することにより該中空筒状体１における該一端１ａと該中間部１ｂとの間に外径の異なる複数の第一段状受け部１１ａ、１１ｂ、１１ｃ、１１ｄを備えさせ、該中空筒状体１を外径が該中間部１ｂより他端１ｃに向かって徐々に小さくなるように段状に形成することにより該中空筒状体１における該中間部１ｂと該他端１ｃとの間に外径の異なる複数の第二段状受け部１１ｅ、１１ｆ、１１ｇ、１１ｈを備えさせている。
【００２１】
該第一段状受け部１１ａ、１１ｂ、１１ｃ、１１ｄのいずれか一つと該第二段状受け部１１ｅ、１１ｆ、１１ｇ、１１ｈのいずれか一つとにそれぞれホース１３、１５を嵌着する。即ち、第一段状受け部１１ａ、１１ｂ、１１ｃ、１１ｄには、各々の外径に適合する内径を備えたホース１３を嵌着し、第二段状受け部１１ｅ、１１ｆ、１１ｇ、１１ｈには各々の外径に適合する内径を備えたホース１５を嵌着する。
【００２２】
因みに、図３においては、第一段状受け部１１ｃにホース１３ｃが嵌着され、第二段状受け部１１ｈにホース１５ｈが嵌着されている。
【００２３】
前記各段状受け部５ａ、５ｂ、５ｃ、５ｄ、第一段状受け部１１ａ、１１ｂ、１１ｃ、１１ｄ、及び第二段状受け部１１ｅ、１１ｆ、１１ｇ、１１ｈは、それぞれテーパ状ではなく、それぞれ円筒状に形成することが望ましい。
【００２４】
図示の事例においては、前記段状受け部５ａ、５ｂ、５ｃ、５ｄ、第一段状受け部１１ａ、１１ｂ、１１ｃ、１１ｄ、及び第二段状受け部１１ｅ、１１ｆ、１１ｇ、１１ｈには、それぞれ環状溝１７が形成されている。各段状受け部に環状溝１７を備えさせた場合には、各段状受け部にホースを嵌着したときに、該ホースにおける環状溝１７に対応する位置に締付けリング１９を取り付けることにより、該ホースを各段状受け部に強固に固定することができる。図１参照。
【図面の簡単な説明】
【００２５】
【図１】本発明によるホース接続手段の一例を示す側面図である。
【図２】同上ホース接続手段の断面図である。
【図３】本発明によるホース接続手段の別の一例を示す側面図である。
【符号の説明】
【００２６】
１  中空筒状体
１ａ  一端
１ｂ  中間部
１ｃ  他端
３  流路
５ａ  段状受け部
５ｂ  段状受け部
５ｃ  段状受け部
５ｄ  段状受け部
７  ホース
７ａ  ホース
７ｂ  ホース
７ｃ  ホース
７ｄ  ホース
９  装置
１１ａ  第一段状受け部
１１ｂ  第一段状受け部
１１ｃ  第一段状受け部
１１ｄ  第一段状受け部
１１ｅ  第二段状受け部
１１ｆ  第二段状受け部
１１ｇ  第二段状受け部
１１ｈ  第二段状受け部
１３  ホース
１５  ホース
１７  環状溝
１９  締付けリング
【図１】
2005256946.tif 000003
【図２】
2005256946.tif 000004
【図３】
2005256946.tif 000005